(57)【要約】【課題】和服での雨の日の外出は、裾の汚れが気になるもの。特に大雨や強風の雨の日は、市販の雨コートだけでは防ぎきれなかった。  本発明は、和服の上に装着し、その上に市販の雨コートを着用することで、大雨や強風を伴う雨、水溜りによる撥ね、等による裾汚れを完全に防ぐ事の出来る和服用巻きズボンを提供する。【解決手段】  雨コートの下に、和服の上から、巻きスカート風に巻きつけて装着し、裾部を真ん中でスナップボタン等で留め分けてズボン様に左右に分割し、もんぺ風に絞りつつ足首まで包み込んで、和服の裾端まですっぽり覆い保持して、路面の雨滴の撥ねしぶきからガードするのであるが、裾を縁どる細平ゴムのソフトな伸縮性によって、大股歩行や階段の昇降も全く自由にできるような構造を特徴とする和服用巻きズボン。【選択図】図１
2013159890.tif 000002
【特許請求の範囲】
【請求項１】
一般に服の裏地に使う様な薄手の撥水加工を施した生地を横長の長方形にし、ウエスト部となる上部の縁にボタン穴開き平ゴム通し用トンネルを形成し、そのトンネルに２センチ幅程のボタン穴開き平ゴムを通し、このボタン穴開き平ゴムの両端を約１０センチ程度露出させた状態でボタン穴開き平ゴム通し用トンネルの生地を絞り、ボタン穴開き平ゴムごとトンネル両端を縫い留め、裾部となる下部の縁は、細平ゴム２本が通る様に境目を共有する２本の細平ゴム通し用トンネルを形成し、そのトンネルにそれぞれ細平ゴムを通し、生地を絞って細平ゴムごとトンネル両端を縫い留め、巻きスカートの様にウエストに装着することになるウエスト部において、ボタン穴開き平ゴム通し用トンネルの左右端からそれぞれ約１５〜２０センチ程戻った位置に右合わせ部は表側（外側）、左合わせ部は裏側（内側）にボタンを設け、裾部の細平ゴム通し用トンネルの両端付近には表側（外側）に右合わせ部側面ファスナーを、裏側（内側）に左合わせ部側面ファスナーを縫い付け、右合わせ部側面ファスナーの背中合わせに右合わせ部スナップボタンを取り付け、裾部の真ん中の位置に中央部スナップボタンを取り付け、この中央部スナップボタンを挟んで左右それぞれに複数個のスナップボタンを設け、ウエスト部をウエストに巻いた時に、右合わせ部の右腰部と右膝部に当たる位置の生地の表側（外側）に、それぞれ２０〜３０センチ程のテープスナップ雌を水平に縫い付け、左合わせ部の縁の左腰部と左膝部に当たる生地の裏側（内側）にそれぞれテープスナップの雄一個を縫い付けた和服用巻きズボン。
【発明の詳細な説明】
【技術分野】
【０００１】  本発明は、和服用雨コートの下に装着する和服用巻きズボンに関するものである。
【背景技術】
【０００２】  和服での雨の日の外出は、従来和服の上から羽織る和服丈に合わせた丈の一枚の雨コートか、腰に巻く裾よけ型のものと羽織型に分かれた雨コートが一般に用いられている。他に、裾の内側に袋を設け、そこに足を入れることで和服の裾を持ち上げる雨コート（特許文献１参照）や、和服の上に装着する巻きスカート（特許文献２参照）もある。
【先行技術文献】
【０００３】
【特許文献１】  特許公開平１１−２２９２０８号
【特許文献２】  登録実用新案第３０９０７２７号
【発明の概要】
【発明が解決しようとする課題】
【０００４】  和服での雨の日の外出は、裾の汚れがとても気になるもの。特に大雨の日、風の強い雨の日などは、一般にある和服を覆うだけの雨コートだけでは防ぎきれなかった。
本発明は、以上の問題点を解決するためになされたものである。
【課題を解決するための手段】
【０００５】  一般に服の裏地に使う様な薄手の撥水加工を施した生地を横長の長方形にし、ウエスト部となる上部の縁にボタン穴開き平ゴム通し用トンネルを形成し、そのトンネルに２センチ幅程のボタン穴開き平ゴムを通し、このボタン穴開き平ゴムの両端を約１０センチ程度露出させた状態でボタン穴開き平ゴム通し用トンネルの生地を絞り、ボタン穴開き平ゴムごとトンネル両端を縫い留める。
裾部となる下部の縁は、細平ゴム２本が通る様に境目を共有する２本の細平ゴム通し用トンネルを形成し、そのトンネルにそれぞれ細平ゴムを通し、生地を絞って細平ゴムごとトンネル両端を縫い留める。
巻きスカートの様にウエストに装着することになるウエスト部において、ボタン穴開き平ゴム通し用トンネルの左右端からそれぞれ約１５〜２０センチ程戻った位置に、右合わせ部は表側（外側）、左合わせ部は裏側（内側）にボタンを設ける。
裾部の細平ゴム通し用トンネルの両端付近に、表側（外側）には右合わせ部側面ファスナーを、裏側（内側）には左合わせ部側面ファスナーを縫い付ける。
右合わせ部側面ファスナーの背中合わせに右合わせ部スナップボタンを取り付ける。裾部の真ん中の位置に、中央部スナップボタンを取り付ける。この中央部スナップボタンを挟んで左右それぞれに複数個のスナップボタンを設ける。
ウエスト部をウエストに巻いた時に、右合わせ部の右腰部と右膝部に当たる位置の生地の表側（外側）に、それぞれ２０〜３０センチ程のテープスナップ雌を水平に縫い付ける。左合わせ部の縁の左腰部と左膝部に当たる生地の裏側（内側）にそれぞれテープスナップの雄一個を縫い付ける。
以上を特徴とする、和服用巻きズボンである。
【発明の効果】
【０００６】  大雨の日、強風の雨の日の和服での外出時に、市販の雨コートの下に、和服の上から巻きスカートの様に装着し、裾を面ファスナーとスナップボタンを留めることによりズボン型にし、完全に和服の裾を覆う事で、路面からの雨の撥ねを防ぐ事が出来る。
ウエストの太さに合わせて、ウエスト部の生地の両端から露出したボタン穴開き平ゴムの穴をそれぞれ選び、好みのサイズで巻き着けしっかりボタン留めが出来る。
裾部は左右端に付いている面ファスナーを合わせる事でスカート状にし、中央部をスナップボタンで合わせ留めして左右の足を別々に足首まですっぽり包みとめるので、ズボン履きと同じ感覚で歩き易い。
腰部と膝部はその太さに合わせてテープスナップで留め、姿勢によって合わせが開くのを予防する。
裾は柔らかく伸縮性を充分にもたせて形成してあるので、大股の歩行や階段の上り降りにも全然違和感が無い。
着脱も巻きスカートの要領で出来るので、簡単で人目を気にすることなくさっさと着脱出来る。
【図面の簡単な説明】
【０００７】
【図１】本発明の形成途上において、ボタン穴開き平ゴム及び細平ゴムを入れる前の段階の表面を展開した状態を示す平面図
【図２】本発明の形成途上において、ボタン穴開き平ゴム及び細平ゴム入れた段階の裏面を展開した状態を示す平面図
【図３】本発明の展開した状態を示す表面の平面図
【図４】本発明の展開した状態を示す裏面の平面図
【図５】本発明の斜視図
【図６】本発明の別の角度から見た斜視図
【図７】本発明の実施例を示す斜視図
【発明を実施するための形態】
【０００８】  以下、本発明の実施の形態を説明する。
一般に服の裏地に使う様な薄手の撥水加工を施した生地を横長の長方形にし、ウエスト部（１）となる上部の縁にボタン穴開き平ゴム通し用トンネル（２）を形成し、そのトンネル（２）に２センチ幅程のボタン穴開き平ゴム（３）をボタン穴開き平ゴム通し用トンネル（２）に通し、両端から約１０センチ程度露出させた状態で、トンネル（２）の生地を絞りボタン穴開き平ゴム（３）ごと各両端を縫い留める。
裾部（４）となる下部の縁は、細平ゴム（５ａ）（５ｂ）２本が通る様に、境目を共有する２本の細平ゴム通し用トンネル（６ａ）（６ｂ）を形成し、そのトンネル（６ａ）（６ｂ）にそれぞれ細平ゴム（５ａ）（５ｂ）を通し、生地を絞って細平ゴム（５ａ）（５ｂ）ごと両端を縫い留める。
ウエスト部（１）は巻きスカートの様にウエストに装着した時に、トンネル（２）の左右端からそれぞれ約１５〜２０センチ程戻った位置に、右合わせ部（７）は表側（外側）に右合わせ部ボタン（９）、左合わせ部（８）は裏側（内側）に左合わせ部ボタン（１０）を、それぞれ設ける。
裾部（４）の細平ゴム通し用トンネル（６ａ）（６ｂ）の両端付近に、右合わせ部（７）は表側（外側）に、左合わせ部（８）は裏側（内側）に、それぞれ面ファスナー（１１）を縫い付ける。右合わせ部側面ファスナー（１１）の背中合わせに右合わせ部スナップボタンの雄（雌）（１２ａ）を取り付ける。裾部（４）の真ん中の位置に、中央部スナップボタン雌（雄）（１２ｂ）を取り付ける。左右合わせ部両端から、それぞれ裾部の長さの四分の一の位置を挟んだ左右裾部に、足首を包むスナップボタン雌（１４ａ）と、足首包みスナップボタン雄（１４ｂ）を取り付ける。左右合わせ部端から足首包みスナップボタン雄（１４ｂ）の間にスナップボタン雄（１４ｂ）を、裾部中央部スナップボタンと左右足首を包むスナップボタン雌（１３）の間にスナップボタン雌（１４ａ）をそれぞれ取り付ける。
ウエスト部（１）をウエストに巻いた時に右腰に当たる腰部と右膝に当たる膝部の位置の生地の表側（外側）に、それぞれ腰部テープスナップの雌（１５ａ）と膝部テープスナップの雌（１６ａ）を、２０〜３０センチ（雌スナップ６個〜８個分）横向きに縫い付ける。左合わせ部（８）の、腰部の端裏側に腰部テープスナップの雄（１５ｂ）と膝部の端の裏側に膝部テープスナップの雄（１６ｂ）をそれぞれ一個分縫い付ける。
本発明は以上の様な構造である。
本発明を使用する時は、  ウエスト部（１）を左前にして帯の上に巻き、ウエストの太さに合わせてウエスト部（１）の生地の両端から露出したボタン穴開き平ゴム（３）の穴をそれぞれ選び、右合わせ部（７）側のボタン穴開き平ゴム（３）はウエスト部（１）の裏側（内側）のボタン（９ａ）に、左あわせ部（８）側のボタン穴開き平ゴム（３）は表側（外側）のボタン（９ｂ）に、それぞれ留めることでしっかりと装着する。
裾部（４）は左右の端の面ファスナー（１１ｂ）（１１ａ）を合わせる事でスカート状にし、右合わせ部側面ファスナー（１１ａ）の背に付いているスナップボタン雄（１２）と裾部の中央部スナップボタン雌（１３）を合わせ留め、その左右それぞれに付いている隣り合った足首包みスナップボタン（１４ａ）（１４ｂ）同士を留めることで左右の足首を包み、ズボン型にする。その後中央部スナップボタン（１３）と足首包みスナップボタン雌の間にある左右のスナップボタン雌（１５ａ）とスナップボタン雄（１５ｂ）をそれぞれ留め、ズボン型になった裾部の隙間を塞ぐ。
最後に、体格に合わせて腰部テープスナップの雌（１６ａ）と膝部テープスナップの雌（１７ａ）のスナップ位置を選び、それぞれ左合わせ側の腰テープスナップの雄（１６ｂ）と膝テープスナップの雄（１７ｂ）で留め、姿勢によって左右の合わせが開くのを予防する。
裾部（４）は柔らかく伸縮性のある細平ゴム（５ａ）（５ｂ）２本を通すことで、大股の歩行や階段の上り降り等の足の動きに対応出来るようになっている。
この和服用巻きズボンを和服の上に装着して完全に和服の裾を包み、その上に市販の和服用雨コートを着る事で、大雨からも強風を伴う雨からも、水溜りの撥ねからも、和服の裾汚れを防ぐ事が出来る。
着脱も巻きスカートの要領で出来るので、簡単で人前でも見苦しくない。
【符号の説明】
【０００９】１  ウエスト部、  ２  ボタン穴開き平ゴム通し用トンネル、  ３  ボタン穴開き平ゴム、  ４  裾部、  ５  細平ゴム、  ６ａ  細平ゴム通し用トンネル、  ６ｂ  細平ゴム通し用トンネル、  ７  右合わせ部、  ８  左合わせ部、  ９  左合わせ部ボタン、  １０  右合わせ部ボタン、  １１ａ  右合わせ部側面ファスナー、  １１ｂ  左合わせ部側面ファスナー、  １２  右合わせ部スナップボタン、  １３  中央部スナップボタン、  １４ａ  足首包みスナップボタン雌、  １４ｂ  足首包みスナップボタン雄、  １５ａ  裾部スナップボタン雌、  １５ｂ  裾部スナップボタン雄、  １６ａ  腰部テープスナップ雌、  １６ｂ  腰部テープスナップ雄、  １７ａ  膝部テープスナップ雌、  １７ｂ  膝部テープスナップ雄
【図１】
2013159890.tif 000003
【図２】
2013159890.tif 000004
【図３】
2013159890.tif 000005
【図４】
2013159890.tif 000006
【図５】
2013159890.tif 000007
【図６】
2013159890.tif 000008
【図７】
2013159890.tif 000009
【手続補正書】
【提出日】平成25年3月15日(2013.3.15)
【手続補正１】
【補正対象書類名】明細書
【補正対象項目名】０００５
【補正方法】変更
【補正の内容】
【０００５】一般に服の裏地に使う様な薄手の撥水加工を施した生地を横長の長方形にし、ウエスト部となる上部の縁にボタン穴開き平ゴム通し用トンネルを形成し、そのトンネルに２センチ幅程のボタン穴開き平ゴムをボタン穴開き平ゴム通し用トンネルに通し、両端から約１０センチ程度露出させた状態で、トンネルの生地を絞りボタン穴開き平ゴムごと各両端を縫い留める。
裾部となる下部の縁は、細平ゴム２本が通る様に、境目を共有する２本の細平ゴム通し用トンネルを形成し、そのトンネルにそれぞれ細平ゴムを通し、生地を絞って細平ゴムごと両端を縫い留める。
ウエスト部は巻きスカートの様にウエストに装着した時に、トンネルの左右端からそれぞれ約１５〜２０センチ程戻った位置に、右合わせ部は表側（外側）に右合わせ部ボタン、左合わせ部は裏側（内側）に左合わせ部ボタンを、それぞれ設ける。
裾部の細平ゴム通し用トンネルの両端付近にそれぞれ、右合わせ部には表側（外側）に右合わせ部側面ファスナーを、左合わせ部には裏側（内側）に左合わせ部側面ファスナーを縫い付ける。右合わせ部側面ファスナーの背中合わせに右合わせ部スナップボタン雄を取り付ける。裾部の真ん中の位置に、中央部スナップボタン雌を取り付ける。左右合わせ部両端から、それぞれ裾部の長さの四分の一の位置を挟んだ左右裾部に、足首包みスナップボタン雌と、足首包みスナップボタン雄を取り付ける。左右合わせ部端から足首包みスナップボタン雄の間に裾部スナップボタン雄を、裾部の中央部スナップボタンと左右足首包みスナップボタン雌の間に裾部スナップボタン雌をそれぞれ取り付ける。
ウエスト部をウエストに巻いた時に右腰に当たる腰部と右膝に当たる膝部の位置の生地の表側（外側）に、それぞれ腰部テープスナップの雌と膝部テープスナップの雌を、２０〜３０センチ（雌スナップ６個〜８個分）横向きに縫い付ける。左合わせ部の、腰部の端裏側に腰部テープスナップの雄と膝部の端の裏側に膝部テープスナップの雄をそれぞれ一個分縫い付ける。
以上を特徴とする、和服用巻きズボンである。
【手続補正２】
【補正対象書類名】明細書
【補正対象項目名】０００８
【補正方法】変更
【補正の内容】
【０００８】  以下、本発明の実施の形態を説明する。
一般に服の裏地に使う様な薄手の撥水加工を施した生地を横長の長方形にし、ウエスト部（１）となる上部の縁にボタン穴開き平ゴム通し用トンネル（２）を形成し、そのトンネル（２）に２センチ幅程のボタン穴開き平ゴム（３）をボタン穴開き平ゴム通し用トンネル（２）に通し、両端から約１０センチ程度露出させた状態で、トンネル（２）の生地を絞りボタン穴開き平ゴム（３）ごと各両端を縫い留める。
裾部（４）となる下部の縁は、細平ゴム（５ａ）（５ｂ）２本が通る様に、境目を共有する２本の細平ゴム通し用トンネル（６ａ）（６ｂ）を形成し、そのトンネル（６ａ）（６ｂ）にそれぞれ細平ゴム（５ａ）（５ｂ）を通し、生地を絞って細平ゴム（５ａ）（５ｂ）ごと両端を縫い留める。
ウエスト部（１）は巻きスカートの様にウエストに装着した時に、トンネル（２）の左右端からそれぞれ約１５〜２０センチ程戻った位置に、右合わせ部（７）は表側（外側）に右合わせ部ボタン（９）、左合わせ部（８）は裏側（内側）に左合わせ部ボタン（１０）を、それぞれ設ける。
裾部（４）の細平ゴム通し用トンネル（６ａ）（６ｂ）の両端付近にそれぞれ、右合わせ部（７）には表側（外側）に右合わせ部側面ファスナー（１１ａ）を、左合わせ部（８）には裏側（内側）に左合わせ部側面ファスナー（１１ｂ）を縫い付ける。右合わせ部側面ファスナー（１１ａ）の背中合わせに右合わせ部スナップボタン雄（１２）を取り付ける。裾部（４）の真ん中の位置に、中央部スナップボタン雌（１３）を取り付ける。左右合わせ部両端から、それぞれ裾部の長さの四分の一の位置を挟んだ左右裾部に、足首包みスナップボタン雌（１４ａ）と、足首包みスナップボタン雄（１４ｂ）を取り付ける。左右合わせ部端から足首包みスナップボタン雄（１４ｂ）の間に裾部スナップボタン雄（１５ｂ）を、裾部の中央部スナップボタン雌（１３）と左右足首包みスナップボタン雌（１４ａ）の間に裾部スナップボタン雌（１５ａ）をそれぞれ取り付ける。
ウエスト部（１）をウエストに巻いた時に右腰に当たる腰部と右膝に当たる膝部の位置の生地の表側（外側）に、それぞれ腰部テープスナップの雌（１６ａ）と膝部テープスナップの雌（１７ａ）を、２０〜３０センチ（雌スナップ６個〜８個分）横向きに縫い付ける。左合わせ部（８）の、腰部の端裏側に腰部テープスナップの雄（１６ｂ）と膝部の端の裏側に膝部テープスナップの雄（１７ｂ）をそれぞれ一個分縫い付ける。
本発明は以上の様な構造である。
本発明を使用する時は、  ウエスト部（１）を左前にして帯の上に巻き、ウエストの太さに合わせてウエスト部（１）の生地の両端から露出したボタン穴開き平ゴム（３）の穴をそれぞれ選び、右合わせ部（７）側のボタン穴開き平ゴム（３）はウエスト部（１）の裏側（内側）のボタン（９ａ）に、左あわせ部（８）側のボタン穴開き平ゴム（３）は表側（外側）のボタン（９ｂ）に、それぞれ留めることでしっかりと装着する。
裾部（４）は左右の端の面ファスナー（１１ａ）（１１ｂ）を合わせる事でスカート状にし、右合わせ部側面ファスナー（１１ａ）の背に付いている右合わせ部スナップボタン雄（１２）と裾部の中央部スナップボタン雌（１３）を合わせ留め、その左右それぞれに付いている隣り合った足首包みスナップボタン（１４ａ）（１４ｂ）同士を留めることで左右の足首を包み、ズボン型にする。その後中央部スナップボタン雌（１３）と足首包みスナップボタン雌（１４ａ）の間  にある左右の裾部スナップボタン雌（１５ａ）と裾部スナップボタン雄（１５ｂ）をそれぞれ留め、ズボン型になった裾部の隙間を塞ぐ。
最後に、体格に合わせて腰部テープスナップ雌（１６ａ）と膝部テープスナップ雌（１７ａ）のスナップ位置を選び、それぞれ左合わせ側の腰部テープスナップ雄（１６ｂ）と膝部テープスナップ雄（１７ｂ）で留め、姿勢によって左右の合わせが開くのを予防する。
裾部（４）は柔らかく伸縮性のある細平ゴム（５ａ）（５ｂ）２本を通すことで、大股の歩行や階段の上り降り等の足の動きに対応出来るようになっている。
この和服用巻きズボンを和服の上に装着して完全に和服の裾を包み、その上に市販の和服用雨コートを着る事で、大雨からも強風を伴う雨からも、水溜りの撥ねからも、和服の裾汚れを防ぐ事が出来る。
着脱も巻きスカートの要領で出来るので、簡単で人前でも見苦しくない。
【手続補正３】
【補正対象書類名】明細書
【補正対象項目名】０００９
【補正方法】変更
【補正の内容】
【０００９】１  ウエスト部、  ２  ボタン穴開き平ゴム通し用トンネル、  ３  ボタン穴開き平ゴム、  ４  裾部、  ５  細平ゴム、  ６ａ  細平ゴム通し用トンネル、  ６ｂ  細平ゴム通し用トンネル、  ７  右合わせ部、  ８  左合わせ部、  ９  右合わせ部ボタン、  １０  左合わせ部ボタン、  １１ａ  右合わせ部側面ファスナー、  １１ｂ  左合わせ部側面ファスナー、  １２  右合わせ部スナップボタン雄、  １３  中央部スナップボタン雌、  １４ａ  足首包みスナップボタン雌、  １４ｂ  足首包みスナップボタン雄、  １５ａ  裾部スナップボタン雌、  １５ｂ  裾部スナップボタン雄、  １６ａ  腰部テープスナップ雌、  １６ｂ  腰部テープスナップ雄、  １７ａ  膝部テープスナップ雌、  １７ｂ  膝部テープスナップ雄
【手続補正４】
【補正対象書類名】特許請求の範囲
【補正対象項目名】請求項１
【補正方法】変更
【補正の内容】
【請求項１】
一般に服の裏地に使う様な薄手の撥水加工を施した生地を横長の長方形にし、ウエスト部となる上部の縁にボタン穴開き平ゴム通し用トンネルを形成し、そのトンネルに２センチ幅程のボタン穴開き平ゴムを通し、このボタン穴開き平ゴムの両端を約１０センチ程度露出させた状態でボタン穴開き平ゴム通し用トンネルの生地を絞り、ボタン穴開き平ゴムごとトンネル両端を縫い留め、裾部となる下部の縁は、細平ゴム２本が通る様に境目を共有する２本の細平ゴム通し用トンネルを形成し、そのトンネルにそれぞれ細平ゴムを通し、生地を絞って細平ゴムごとトンネル両端を縫い留め、巻きスカートの様にウエストに装着することになるウエスト部において、ボタン穴開き平ゴム通し用トンネルの左右端からそれぞれ約１５〜２０センチ程戻った位置に右合わせ部は表側（外側）、左合わせ部は裏側（内側）にボタンを設け、裾部の細平ゴム通し用トンネルの両端付近には表側（外側）に右合わせ部側面ファスナーを、裏側（内側）に左合わせ部側面ファスナーを縫い付け、右合わせ部側面ファスナーの背中合わせに右合わせ部スナップボタン雄を取り付け、裾部の真ん中の位置に中央部スナップボタン雌を取り付け、左右合わせ部両端からそれぞれ裾部の長さの四分の一の位置を挟んだ左右裾部に、中央部スナップボタン雌側には足首包みスナップボタン雌を、左右合わせ部両端側には足首包みスナップボタン雄を取り付け、また、中央部スナップボタン雌と左右の足首包みスナップボタン雌の間に、裾部スナップボタン雌をそれぞれ取り付け、右合わせ部スナップボタン雄と右合わせ部側の足首包みスナップボタン雄との間と、左合わせ部側面ファスナーと左合わせ部側の足首包みスナップボタン雄との間に裾部スナップボタン雄をそれぞれ取り付け、ウエスト部をウエストに巻いた時に、右合わせ部の右腰部と右膝部に当たる位置の生地の表側（外側）に、それぞれ２０〜３０センチ程のテープスナップ雌を水平に縫い付け、左合わせ部の縁の左腰部と左膝部に当たる生地の裏側（内側）にそれぞれテープスナップの雄一個を縫い付けた和服用巻きズボン。